(57)【特許請求の範囲】
【請求項１】
吸収冷凍機の吸収液として腐食性の強いものを用い、この吸収液に溶解量の小さい腐食抑止剤を供給する自動供給装置であって、前記吸収液の流路に配置され前記腐食抑止剤が固形のままでは通過できない細かさを有するフィルターと、前記フィルター内に封入された固形の前記腐食抑止剤とを有し、前記フィルターは、自動供給装置の本体内の中央部に配置され、前記本体の内壁とフィルターの外壁との間のスペースには、仕切壁が吸収液入口と吸収液出口とを前記スペース内で分離する位置に取り付けられていることを特徴とする吸収冷凍機用腐食抑止剤自動供給装置。
【請求項２】
前記腐食性の強い吸収液は水酸化リチウム含有臭化リチウム水溶液であり、前記溶解量の小さい腐食抑止剤はモリブデン酸リチウムであり、前記吸収液の流路は本装置を取り付けるために設けられたバイパス流路であり、該バイパス流路に着脱自在に連通される本体と、本体の内部に配置される前記フィルターと、前記フィルター内に封入された固形の腐食抑止剤とを有し、前記フィルターを流通した吸収液は、吸収器内へ上方より流下させることを特徴とする請求項１に記載の吸収冷凍機用腐食抑止剤自動供給装置。
【発明の詳細な説明】
【０００１】
【発明の属する技術分野】
この発明は、吸収冷凍機に用いられる吸収液の腐食性を抑止するための腐食抑止剤を自動的に供給する装置の構造に関する。
【０００２】
【従来の技術】
一般に、腐食抑止剤とは、金属をとりまく液体などの環境物質中に少量を加えることで、その環境物質による金属の腐食速度を効果的に減少させる化学物質をいう。この腐食抑止の効果を得るには、十分な濃度の腐食抑止剤が環境物質中に存在することが必要となる。そして、継続して十分な濃度を維持するためには、環境物質である液体等を定期的に分析し、腐食抑止剤の還元作用による消耗量に見合った量を追加して供給しなけれはならない。
【０００３】
さて、吸収冷凍機は殆どの部分が金属によって製造され、内部を循環する吸収液が腐食性を有する環境物質となる。特に、吸収液が水酸化リチウム含有臭化リチウム水溶液などの臭化リチウムを主体とした腐食性が強いものである場合には、腐食抑止剤の添加が必要であった。この場合の腐食抑止剤としては、種々のものがあるが、たとえばモリブデン酸リチウムのように、その性質上溶解量の小さいものを使用する場合には、継続して十分な溶解量すなわち十分な濃度を維持させるために、初期段階で過飽和状態での添加を行っている。この添加は、腐食抑止剤をイオン化した状態で行い、固形のままで吸収冷凍機内部を循環してしまう不都合を避けている。
【０００４】
【発明が解決しようとする課題】
しかしながら、このように腐食抑止剤を過飽和状態で添加した吸収液は、腐食抑止剤の濃度を継続して一定に保つことが困難であり、急速に腐食抑止剤の析出が起き易い。この析出が起きると、例えば、吸収冷凍機の吸収液の流路のいくつかの場所に備えられているポンプの軸受け部分へ、析出によるロックを生じたりする悪影響を及ぼす。
【０００５】
また、腐食抑止剤を定期的に追加供給するためには、吸収液を定期的に分析しなければならず、サービスメンテナンスとして行われる追加供給の作業が煩わしいものとなってしまう。
【０００６】
この追加供給を自動装置によって行うことも可能であるが、吸収液の分析を自動的に行う装置や腐食抑止剤の濃度を自動的に測定したりする装置は非常に高価であり、自動供給装置全体が高価なものとなってしまう。
【０００７】
この発明は、以上の課題を解決するためになされたもので、吸収液に対し初期段階で腐食抑止剤を過飽和状態で添加する必要はなく、したがって腐食抑止剤の析出による不都合を抑止でき、更に、腐食抑止剤を追加供給するサービスメンテナンスが不要となり、しかも安価な吸収冷凍機用腐食抑止剤自動供給装置を提供することを目的とする。
【０００８】
【課題を解決するための手段】
以上の目的を達成するため、第１の発明は、吸収冷凍機の吸収液として腐食性の強いものを用い、この吸収液に溶解量の小さい腐食抑止剤を供給する自動供給装置であって、前記吸収液の流路に配置され前記腐食抑止剤が固形のままでは通過できない細かさを有するフィルターと、前記フィルター内に封入された固形の前記腐食抑止剤とを有し、前記フィルターは、自動供給装置の本体内の中央部に配置され、前記本体の内壁とフィルターの外壁との間のスペースには、仕切壁が吸収液入口と吸収液出口とを前記スペース内で分離する位置に取り付けられていることを特徴とする吸収冷凍機用腐食抑止剤自動供給装置である。
【０００９】
第２の発明は、第１の発明において、前記腐食性の強い吸収液は水酸化リチウム含有臭化リチウム水溶液であり、前記溶解量の小さい腐食抑止剤はモリブデン酸リチウムであり、前記吸収液の流路は本装置を取り付けるために設けられたバイパス流路であり、該バイパス流路に着脱自在に連通される本体と、本体の内部に配置される前記フィルターと、前記フィルター内に封入された固形の腐食抑止剤とを有し、前記フィルターを流通した吸収液は、吸収器内へ上方より流下させることを特徴とする吸収冷凍機用腐食抑止剤自動供給装置である。
【００１０】
【発明の実施の形態】
この発明の実施の１形態を、図１及び図２に示す。
図１は、吸収冷凍機の一部を構成する吸収器１の下方を示す。すなわち、吸収器１の底部に連通された流路３には吸収液ポンプ５が備えられ、これにより吸収器１の底部に溜まる吸収液７は流路３を通って図中右方向の高温再生器（図示せず）へ送られる。
【００１１】
この実施形態では、この流路３の吸収液ポンプ５の下流側と吸収器１とを結ぶバイパス通路９を形成する。このバイパス通路９の途中に、この実施形態に係る自動供給装置１１を連通する。
【００１２】
すなわち、吸収液ポンプ５の下流側にサービスバルブ１３を設け、このサービスバルブ１３に第１のバイパスパイプ１５を連通し、この第１のバイパスパイプ１５を自動供給装置１１の吸収液入口継手１７に接続する。自動供給装置１１の吸収液出口継手１９には、第２のバイパスパイプ２１を接続し、バルブ２３を経て吸収器１に連通する。
【００１３】
図２に示すように、自動供給装置１１は、横置きの円筒状の本体２５を有する。本体２５は鋼製または耐熱材製とする。この本体２５の内部に円筒状のフィルター２７を同心に配置する。フィルター２７の両端は本体２５の内壁に密着させる。フィルター２７は例えば、濾材として用いられるポリプロピレン製品を使用する。このフィルター２７の細かさは、腐食抑止剤として用いられるモリブデン酸リチウムが固形のままでは通過できない細かさ、例えば１０μｍの大きさとする。溶解しイオン化した状態となった腐食抑止剤は容易にフィルター２７を通過する。
フィルター２７内には、腐食抑止剤２９である固形のモリブデン酸リチウムが封入される。
【００１４】
本体２５の内壁とフィルター２７の外壁との間のスペースには、仕切壁３１が取り付けられ、この取り付け位置は吸収液入口継手１７と吸収液出口継手１９とを前記スペース内で分離する位置となる。
【００１５】
（作用効果）
以上の実施形態によれば以下の作用効果を得る。
以上の構成とすることで、吸収液ポンプ５によって送られる吸収液７は流路３内での内圧により、バイパス流路９内、すなわちサービスバルブ１３を介して第１のバイパスパイプ１５内へ流れ込み、さらに自動供給装置１１の本体２５に入る。本体２５内の吸収液は、仕切壁３１に阻まれフィルター２７内へ強制的に通過させられる。フィルター２７内で吸収液は固形の腐食抑止剤２９に接触し、腐食抑止剤２９を溶解する。腐食抑止剤２９の溶解は、飽和状態に至るまで継続して行われる。
【００１６】
このようにして腐食抑止剤２９の濃度が高くなった吸収液は、フィルター２７の外へ通過し第２のバイパスパイプ２１へ通って吸収器１へ戻される。このようにして吸収器１近辺の吸収液７は腐食抑止剤２９の濃度が向上し、ひいては吸収冷凍機全体の吸収液の腐食抑止剤濃度を自動的に高めることができる。
【００１７】
（実験結果）
以下、図３および図４において、以上の実施形態の作用効果を確認するための実験結果を説明する。
【００１８】
すなわち図３の実験装置に示すように、ビーカー３３に吸収液７として水酸化リチウム含有臭化リチウム水溶液が溜められる。正確には、臭化リチウム５４．６％で水酸化リチウム０．０６３Ｎを含む４リットルのものを使用した。このビーカー３３の中につけたチューブ３５の途中に上記吸収液７を循環させるためのインバータ制御のポンプ３７を設ける。ポンプ３７を出たチューブ３９はフィルター外容器４１の入口４３に連通される。
【００１９】
フィルター外容器４１の内部には、ポリプロピレン製のフィルター４５が配置される。このフィルター４５の細かさは、メッシュの大きさが１０μｍである。フィルター４５の内部には、腐食抑止剤２９であるモリブデン酸リチウムが１００ｇ固形のまま収納されている。
【００２０】
フィルター外容器４１の出口４７に連通されたチューブ４９は、再びビーカー３３の中につけられる。
【００２１】
そして、実験においてはポンプ３７を駆動し水溶液を循環させた場合と、ポンプを停止し循環させなかった場合を行った。また、循環量は、実際に吸収冷凍機にバイパス通路を形成した場合に期待される量とした。
【００２２】
図４の実験結果に示すように、循環させた場合には、吸収液７中の腐食抑止剤２９の濃度が直ちに上昇し、腐食抑止剤２９の飽和溶解量である１５０ｐｐｍに近い１４０ｐｐｍとなった。その後、濃度はほぼ横ばいを示した。また、途中で腐食抑止剤を添加していない吸収液７を１リットル追加して様子をみると、追加直後は腐食抑止剤の濃度が低下するものの、すぐに濃度は回復し初めることが分かり、いわば腐食抑止剤が自動的に供給され得ることが実証できた。
【００２３】
循環しない場合には、腐食抑止剤の濃度はゆっくりと上昇するものの、１５日辺りで横ばい状態となり、高い濃度は得られなかった。
【００２４】
（他の効果）
このように腐食抑止剤濃度を自動的に高めることで、濃度を維持するためのサービスメンテナンスが半永久的に不要となる。さらに、作業員の人手によるサービスメンテナンス時に、分析を行うために吸収液７を採取したり、腐食抑止剤２９を人手により添加したりする際に、吸収冷凍機の流路内に空気が侵入してしまう懸念があるが、この実施形態においてはこのような懸念が皆無となる。
【００２５】
また、サービスバルブ１３とバルブ２３を介して自動供給装置１１が取り付けられており、自動供給装置１１は吸収冷凍機を運転中であっても着脱可能である。
【００２６】
（他の実施形態）
以上の実施形態においては、自動供給装置１１が取り付けられるバイパス流路９は、吸収器１と、吸収器１の下方に設けられる流路３との間に設けられるものであったが、他の実施形態においては他の場所に取り付けられても構わない。もっとも、望ましくは、図１と同様に吸収器ポンプの下流側と上流側をバイパスするバイパス通路であることが望ましい。
【００２７】
また、以上の実施形態においては、吸収液は水酸化リチウム含有臭化リチウム水溶液であり、腐食抑止剤はモリブデン酸リチウムであったが、他の実施形態においては他の吸収液と腐食抑止剤との組み合わせであっても良い。すなわち、腐食性の強い吸収液に対し溶解量の小さい腐食抑止剤を用いる場合について、この発明は有効である。
【００２８】
【発明の効果】
以上説明したように、第１または第２の発明によれば、吸収液がフィルターを通過し、フィルター内に封入された固形の腐食抑止剤を溶解し、これにより腐食抑止剤の濃度が大きくなった吸収液は再びフィルターの外へ通過していく。よって、吸収液による腐食抑止剤の溶解が継続されるので、初期段階で大量の腐食抑止剤を供給するため過飽和状態で添加する必要がなく、過飽和状態を原因として生じる析出の都合を避けることができる。
【００２９】
また、作業員の人力によって腐食抑止剤を追加供給するサービスメンテナンスも不要となる。また、吸収液を自動分析したり腐食抑止剤の濃度を自動測定したりする装置は不要であり安価な装置とすることが可能である。
【図面の簡単な説明】
【図１】この発明の一実施形態を示す概略全体図である。
【図２】図１の腐食抑止剤自動供給装置を示すもので
（Ａ）は一部を切り欠いて示す正面図
（Ｂ）は（Ａ）の一部を切り欠いて示す側面図である。
【図３】図１の腐食抑止剤自動供給装置の作用効果を確認するための実験を行う実験装置の全体図である。
【図４】図３の実験結果を示すグラフである。
【符号の説明】
１  吸収器
３  流路
５  ポンプ
７  吸収液
９  バイパス流路
１１  自動供給装置
１３  サービスバルブ
１５、２１バイパスパイプ
１７  入口継手
１９  出口継手
２３  バルブ
２５  本体
２７  フィルター
２９  腐食抑止剤
【図１】
0003837231.tif 000002
【図２】
0003837231.tif 000003
【図３】
0003837231.tif 000004
【図４】
0003837231.tif 000005